(57)【要約】【課題】十分な遮光機能又は視界制御機能を発揮させ得るとともに表面模様の意匠性を高めることができる生産性に優れた複合樹脂パネルを提供する。【解決手段】本複合樹脂パネル１０は、着色透明又は無色透明の第１樹脂からなる基板１１と、前記基板に設けられ、不透明又は着色透明の第２樹脂からなる帯板１２と、を備え、前記帯板の端縁は前記基板の表面に露出している。前記基板には、該基板の平面に傾斜して互いに平行に複数の前記帯板が設けられていることが好ましい。【選択図】図３
2011098504.tif 000002
【特許請求の範囲】
【請求項１】
着色透明又は無色透明の第１樹脂からなる基板と、
前記基板に設けられ、不透明又は着色透明の第２樹脂からなる帯板と、を備え、
前記帯板の端縁は前記基板の表面に露出していることを特徴とする複合樹脂パネル。
【請求項２】
前記基板には、該基板の平面に傾斜して互いに平行に複数の前記帯板が設けられている請求項１記載の複合樹脂パネル。
【請求項３】
前記第１樹脂は着色透明樹脂であり、前記第２樹脂は不透明樹脂である請求項１又は２に記載の複合樹脂パネル。
【請求項４】
前記基板の表面には不透明又は着色透明の加飾部材が積層されている請求項２記載の複合樹脂パネル。
【請求項５】
家電製品の外装材として用いられる請求項１乃至４のいずれか一項に記載の複合樹脂パネル。
【請求項６】
前記第１樹脂及び前記第２樹脂を同時に押出成形して成形されている請求項１乃至５のいずれか一項に記載の複合樹脂パネル。
【請求項７】
前記第１樹脂及び前記第２樹脂は、それぞれ独立して、アクリル樹脂、ポリカーボネート樹脂、ＡＳＡ樹脂及びＡＥＳ樹脂からなる群より選ばれる少なくとも１種である請求項１乃至６のいずれか一項に記載の複合樹脂パネル。
【請求項８】
前記基板の厚さ（ｔ１）は０．５〜１０ｍｍであり、前記帯板の厚さ（ｔ２）は１０μｍ〜３ｍｍである請求項１乃至７のいずれか一項に記載の複合樹脂パネル。
【請求項９】
前記複数の帯板のうちの隣接する一対の帯板のそれぞれの端部は前記基板の平面方向に離間しており、その離間間隔（ｓ１）は０を超えて１０ｍｍ以下である請求項２記載の複合樹脂パネル。
【請求項１０】
前記複数の帯板のうちの隣接する一対の帯板のそれぞれの端部は前記基板の平面方向に重なっており、その重なり間隔（ｓ２）は０〜５ｍｍである請求項２記載の複合樹脂パネル。
【請求項１１】
前記帯板の前記基板の平面に対する傾斜角度（θ）は１〜９０度である請求項１乃至１０のいずれか一項に記載の複合樹脂パネル。
【請求項１２】
請求項１乃至１１のいずれか一項に記載の複合樹脂パネルの製造方法であって、
第１押出機から押し出される前記第１樹脂と第２押出機から押し出される前記第２樹脂とを金型内で合流させ、該金型から押し出される合流物をサイジングダイを通過させて前記複合樹脂パネルを得ることを特徴とする樹脂複合パネルの製造方法。
【発明の詳細な説明】
【技術分野】
【０００１】
本発明は、複合樹脂パネル及びその製造方法に関し、さらに詳しくは、十分な遮光機能又は視界制御機能を発揮させ得るとともに、基板と帯板との色目の違いにより奥行感のある立体的なグラデーション模様を有する意匠性に優れ、且つ生産性に優れた複合樹脂パネル及びその製造方法に関する。
【背景技術】
【０００２】
従来より、テレビジョン受信機やパーソナルコンピュータのディスプレイ画面まわりの外装材として、基板の表面に塗装を施してなる樹脂パネルを用いることが一般に知られている。しかし、この樹脂パネルでは、塗装により表面模様を形成しているので、奥行きのある立体的なグラデーション模様が表現されず意匠性の低いものとなっていた。
【０００３】
また、従来の樹脂パネルの製造方法として、異なる２色の樹脂を同時に押出成形して樹脂パネルを製造する方法が提案されている（例えば、特許文献１及び２等参照）。この特許文献１及び２には、透明樹脂からなる基板と、この基板内に互いに平行に埋設される不透明樹脂からなる複数の帯板と、を備え、遮光機能又は視界制御機能を有する樹脂パネルが開示されている。
【０００４】
しかし、上記特許文献１及び２の樹脂パネルでは、基板が透明樹脂からなり、複数の帯板が不透明樹脂からなっており、複数の帯板の端縁が基板の表面に露出することなく埋設されているため、各帯板による遮光機能又は視界制御機能が十分でなく、基板の表面からみると各帯板の端縁が単純な縞模様となり、やはり奥行きのある立体的なグラデーション模様が表現されず意匠性の低いものとなっていた。
【先行技術文献】
【特許文献】
【０００５】
【特許文献１】特開平１１−２６２９４７号公報
【特許文献２】特開平８−１４２１４９号公報
【発明の概要】
【発明が解決しようとする課題】
【０００６】
本発明は、上記現状に鑑みてなされたものであり、十分な遮光機能又は視界制御機能を発揮させ得るとともに、基板と帯板との色目の違いにより奥行感のある立体的なグラデーション模様を有する意匠性に優れ、且つ生産性に優れた複合樹脂パネルを提供することを目的とする。
【課題を解決するための手段】
【０００７】
本発明は、以下の通りである。
１．着色透明又は無色透明の第１樹脂からなる基板と、
前記基板に設けられ、不透明又は着色透明の第２樹脂からなる帯板と、を備え、
前記帯板の端縁は前記基板の表面に露出していることを特徴とする複合樹脂パネル。
２．前記基板には、該基板の平面に傾斜して互いに平行に複数の前記帯板が設けられている上記１．記載の複合樹脂パネル。
３．前記第１樹脂は着色透明樹脂であり、前記第２樹脂は不透明樹脂である上記１．又は２．に記載の複合樹脂パネル。
４．前記基板の表面には不透明又は着色透明の加飾部材が積層されている上記２．記載の複合樹脂パネル。
５．家電製品の外装材として用いられる上記１．乃至４．のいずれか一項に記載の複合樹脂パネル。
６．前記第１樹脂及び前記第２樹脂を同時に押出成形して成形されている上記１．乃至５．のいずれか一項に記載の複合樹脂パネル。
７．前記第１樹脂及び前記第２樹脂は、それぞれ独立して、アクリル樹脂、ポリカーボネート樹脂、ＡＳＡ樹脂及びＡＥＳ樹脂からなる群より選ばれる少なくとも１種である上記１．乃至６．のいずれか一項に記載の複合樹脂パネル。
８．前記基板の厚さ（ｔ１）は０．５〜１０ｍｍであり、前記帯板の厚さ（ｔ２）は１０μｍ〜３ｍｍである上記１．乃至７．のいずれか一項に記載の複合樹脂パネル。
９．前記複数の帯板のうちの隣接する一対の帯板のそれぞれの端部は前記基板の平面方向に離間しており、その離間間隔（ｓ１）は０を超えて１０ｍｍ以下である上記２．記載の複合樹脂パネル。
１０．前記複数の帯板のうちの隣接する一対の帯板のそれぞれの端部は前記基板の平面方向に重なっており、その重なり間隔（ｓ２）は０〜５ｍｍである上記２．記載の複合樹脂パネル。
１１．前記帯板の前記基板の平面に対する傾斜角度（θ）は１〜９０度である上記１．乃至１０．のいずれか一項に記載の複合樹脂パネル。
１２．上記１．乃至１１．のいずれか一項に記載の複合樹脂パネルの製造方法であって、
第１押出機から押し出される前記第１樹脂と第２押出機から押し出される前記第２樹脂とを金型内で合流させ、該金型から押し出される合流物をサイジングダイを通過させて前記複合樹脂パネルを得ることを特徴とする樹脂複合パネルの製造方法。
【発明の効果】
【０００８】
本発明の複合樹脂パネルによると、着色透明又は無色透明の第１樹脂からなる基板と、前記基板に設けられ、不透明又は着色透明の第２樹脂からなる帯板と、を備え、前記帯板の端縁が基板の表面に露出しているので、着色透明又は無色透明の基板と不透明又は着色透明の帯板との重なりによって、基板を表面からみると十分な遮光機能又は視界制御機能を発揮させることができる。また、基板と帯板の色目を異ならせれば、奥行感のある立体的なグラデーション模様が表現され意匠性に優れる。なお、上記遮光機能とは、複合樹脂パネルの一方の表面側からの光が他方の表面側に透過するのを遮る機能を意図する。また、上記視界制御機能とは、複合樹脂パネルの一方の表面側からみて他方の表面側にあるものを見え難くしたり見え易くしたりする機能を意図する。
また、前記基板に、該基板の平面に傾斜して互いに平行に複数の前記帯板が設けられている場合は、各帯板に対応して複数のグラデーション模様が連続して表現され意匠性を更に高めることができる。
また、前記第１樹脂が着色透明樹脂であり、前記第２樹脂が不透明樹脂である場合は、着色透明の基板と不透明の帯板との重なりによって、より明確なグラデーション模様が表現され意匠性を更に高めることができる。
また、前記基板の表面に、不透明又は着色透明の加飾部材が積層されている場合は、基板をみる角度によっては、隣接する一対の帯板の間に形成される隙間を介して加飾部材がみえ、表面模様として縞模様が加わって表示される。そのため、表面模様の意匠性を更に高めることができる。
また、家電製品の外装材として用いられる場合は、家電製品の外装材として好適な複合樹脂パネルを提供することができる。
また、前記第１樹脂及び前記第２樹脂を同時に押出成形して成形される場合は、更に生産性を高めることができる。
また、前記第１樹脂及び前記第２樹脂が、それぞれ独立して、アクリル樹脂、ポリカーボネート樹脂、ＡＳＡ樹脂及びＡＥＳ樹脂からなる群より選ばれる少なくとも１種である場合は、耐候性に優れる複合樹脂パネルとすることができる。
また、前記基板の厚さ（ｔ１）が０．５〜１０ｍｍであり、前記帯板の厚さ（ｔ２）が１０μｍ〜３ｍｍである場合は、樹脂使用量を抑えつつより明確なグラデーション模様を表現できる。
また、前記複数の帯板のうちの隣接する一対の帯板のそれぞれの端部は前記基板の平面方向に離間しており、その離間間隔（ｓ１）が０を超えて１０ｍｍ以下である場合は、各帯板の端部の離間により遮光効果を抑えて可視効果をより高めることができる。
また、前記複数の帯板のうちの隣接する一対の帯板のそれぞれの端部は前記基板の平面方向に重なっており、その重なり間隔（ｓ２）が０〜５ｍｍである場合は、各帯板の端部の重なりにより可視効果を抑えて遮光効果をより高めることができる。
さらに、前記帯板の前記基板の平面に対する傾斜角度（θ）が１〜９０度である場合は、遮光効果と可視効果とのバランスを幅広く設定することができる。
【０００９】
本発明の複合樹脂パネルの製造方法によると、第１押出機から押し出される第１樹脂と第２押出機から押し出される第２樹脂とが金型内で合流され、この金型から押し出される合流物がサイジングダイを通過して複合樹脂パネルが得られる。これにより、異形形状の複合樹脂パネルを得ることができる。なお、上記サイジングダイの通過口の横幅は、通常、金型の出口の横幅より小さな値とされている。
【図面の簡単な説明】
【００１０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例１に係る複合樹脂パネルを備えるテレビジョン受信機を示す正面図である。
【図２】図１のＩＩ−ＩＩ線断面拡大図である。
【図３】上記複合樹脂パネルの縦断面図である。
【図４】上記複合樹脂パネルの正面図であり、（ａ）は複合樹脂パネルを正面から略真っ直ぐにみた状態を示し、（ｂ）は複合樹脂パネルを正面やや上方から見下ろしてみた状態を示す。
【図５】実施例２に係る複合樹脂パネルを備えるフェンスの縦断面図である。
【図６】上記複合樹脂パネルの正面図であり、（ａ）は複合樹脂パネルを正面から略真っ直ぐにみた状態を示し、（ｂ）は複合樹脂パネルを正面やや下方から見上げてみた状態を示す。
【図７】更にその他の形態の複合樹脂パネルの縦断面図である。
【図８】更にその他の形態の複合樹脂パネルの縦断面図である。
【図９】参考例の複合樹脂パネルの縦断面図である。
【図１０】上記複合樹脂パネルの製造方法を説明するための説明図である。
【図１１】金型及びサイジングダイを示す平面図である。
【図１２】樹脂パネルにおける透過率とあおり角度との相関を示す測定方法を説明するための説明図である。
【図１３】樹脂パネルにおける透過率とあおり角度との相関を示すグラフである。
【発明を実施するための形態】
【００１１】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。尚、本明細書において、無色透明及び着色透明における透明とは、ＪＩＳ  Ｋ−７３７５に準じて測定した全光線透過率が０．１％以上（好ましくは０．５％以上、より好ましくは１．０％以上）をいい、不透明とは、ＪＩＳ  Ｋ−７３７５に準じて測定した全光線透過率が０．１％未満（好ましくは０．０５％未満、より好ましくは０．０１％未満）をいう。
【００１２】
１．複合樹脂パネル
本実施形態１．に係る複合樹脂パネルは、着色透明又は無色透明の第１樹脂からなる基板と、この基板に設けられ、不透明（着色不透明）又は着色透明の第２樹脂からなる帯板と、を備え、この帯板の端縁は基板の表面に露出していることを特徴とする。
【００１３】
上記複合樹脂パネルの用途としては、例えば、（１）テレビジョン受信機、パーソナルコンピュータ、ゲーム機の外枠及び化粧部材、照明装置のカバー等の家電製品の外装材、（２）フェンス、窓枠、ブラインド、浴室部材（例えば、カウンター部材など）等の建築用品、（３）文房具、パーテーション等の事務用品、（４）テーブル、イス等の家具、（５）自動車等の内装又は外装部材等の車両用品等を挙げることができる。
上記（１）〜（５）形態では、例えば、複合樹脂パネルの背面側に光源を配置すれば、複合樹脂パネルをイルミネーション部材として好適に使用することができる。また、上記（１）〜（５）形態では、例えば、基材の厚さ方向の一方の表面側に帯板を設け、基材の厚さ方向の他方の表面側を光源からの光を導く導光部として用いれば、複合樹脂パネルをイルミネーション部材として好適に使用することができる（例えば、図８参照）。この場合、導光部として用いる他方の表面側の表面に遮光層（例えば、蒸着層など）を設けることが好ましい。
【００１４】
上記「基板」の形状、大きさ、使用樹脂等は特に問わず、上記複合樹脂パネルの用途等に応じて適宜選択される。この基板の厚さ（ｔ１）は、例えば、０．５〜１０ｍｍ（好ましくは１〜５ｍｍ、特に２〜３．５ｍｍ）であることができる（例えば、図３参照）。特に、上記複合樹脂パネルが家電製品の外装材として用いられる場合には、基板の厚さ（ｔ１）が１〜５ｍｍ（好ましくは２〜３．５ｍｍ、特に２〜３ｍｍ）であることが好ましい。また、この基板の形状としては、例えば、平板状、湾曲板状、屈曲板状、異形板状等を挙げることができる。
【００１５】
上記第１樹脂は、着色透明又は無色透明の樹脂である。この第１樹脂が着色透明の樹脂である場合、第１樹脂は着色材料を含有する樹脂である。
この第１樹脂を形成する樹脂としては、例えば、アクリル樹脂（ＰＭＭＡ等のメタクリル酸メチル系樹脂等）、ポリカーボネート樹脂（ＰＣ）、ＡＳＡ樹脂（ＡＳＡ）、ＡＥＳ樹脂（ＡＥＳ）、ＭＡＳ樹脂（ＭＡＳ）、ポリエチレン樹脂（ＰＥ）、ＥＶＡ樹脂（ＥＶＡＣ）、ポリプロピレン樹脂（ＰＰ）、塩化ビニル樹脂（ＰＶＣ）、ポリスチレン樹脂（ＰＳ）、ＡＳ樹脂（ＳＡＮ）、ＡＢＳ樹脂（ＡＢＳ）、ポリエチレンテレフタレート樹脂（ＰＥＴ）、塩化ビニリデン樹脂（ＰＶＤＣ）、ポリアミド樹脂（ＰＡ）、ポリアセタール樹脂（ＰＯＭ）、ポリブチレンテレフタレート樹脂（ＰＢＴ）等を挙げることができる。
また、上記第１樹脂として、エラストマー系樹脂を用いることもできる。このエラストマー系樹脂としては、例えば、スチレン系エラストマー、オレフィン系エラストマー、ウレタン系エラストマー、シリコーン系エラストマー、ポリエステル系エラストマー、ポリアミド系エラストマー等が挙げられる。
これらの樹脂は、単独であるいは２つ以上を組み合わせて用いることができる。特に、上記複合樹脂パネルが家電製品の外装材として用いられる場合には、第１樹脂として、アクリル樹脂（特にＰＭＭＡ）、ポリスチレン樹脂（ＰＳ）、ＭＡＳ樹脂（ＭＡＳ）等を採用することが好ましい。
【００１６】
着色材料としては、有機顔料、無機顔料、染料のいずれでもよい。例えば、アゾ系染料（モノアゾ系染料、ジアゾ系染料、ビスアゾ系染料、トリスアゾ系染料及びスチルベン系染料等）、アントラキノン系染料、ペリレン系染料、ペリノン系染料、メチン系染料、フタロシアニン系染料、キナクリドン系染料、ジオキサジン系染料、チオインジゴ系染料、イソインドリノン系染料、キノフタロン系染料、染料レーキ、ニトロ顔料、ニトロソ顔料、アニリンブラック、蛍光顔料、酸化チタン、カーボンブラック、群青、紺青、べんがら、カドミウムレッド、モリブデンオレンジ、黄色酸化鉄、黄鉛、チタンイエロー、クロムグリーン、酸化クロム、コバルトブルー、マンガンバイオレット等が挙げられる。これらは、単独であるいは２つ以上を組み合わせて用いることができる。
これらの着色材料うち、酸化チタン、カーボンブラック及び群青等が好ましい。
【００１７】
また、上記第１樹脂には、光拡散剤を添加することができる。第１樹脂に光拡散剤を含有させることにより、光を拡散させる樹脂にすることができる。この光拡散剤としては、有機微粒子、炭酸カルシウム、二酸化チタン、硫酸バリウム及びガラス等が挙げられる。これらは単独であるいは２つ以上を組み合わせて用いることができる。
上記の光拡散剤のうち、均一な光拡散性能を有し、しかも全光透過率がよく、機械的強度に優れていることから、有機微粒子が好ましい。この有機粒子としては、架橋ポリメチルメタクリレート、架橋ポリスチレン、架橋メチルメタクリレート−スチレン共重合体及びシリコン等の有機重合体粉体が挙げられる。
【００１８】
上記「帯板」の形状、大きさ、使用樹脂等は特に問わず、上記複合樹脂パネルの用途等に応じて適宜選択される。この帯板の基板の平面に対する傾斜角度（θ）は、例えば、１〜９０度（好ましくは１０〜７０度、特に３０〜５０度）であることができる（例えば、図３参照）。また、この帯板の厚さ（ｔ２）は、例えば、１０μｍ〜３ｍｍ（好ましくは３０μｍ〜１ｍｍ、特に５０μｍ〜０．５ｍｍ）であることができる（例えば、図３参照）。特に、上記複合樹脂パネルが家電製品の外装材として用いられる場合には、帯板の厚さ（ｔ２）が３０μｍ〜１ｍｍ（好ましくは４０μｍ〜０．３ｍｍ、特に５０μｍ〜０．１ｍｍ）であることが好ましい。また、この帯板の形状としては、例えば、平板状、湾曲板状、屈曲板状、異形板状等を挙げることができる。
【００１９】
上記第２樹脂は、着色透明又は着色不透明の樹脂であり、第２樹脂は、着色材料を含有する樹脂である。第２樹脂を着色透明、又は着色不透明の樹脂とするには、用いる着色材料とその配合量により、透明樹脂又は不透明樹脂にすることができる。
上記第２樹脂を形成する樹脂としては、例えば、アクリル樹脂（ＰＭＭＡ等のメタクリル酸メチル系樹脂等）、ポリカーボネート樹脂（ＰＣ）、ＡＳＡ樹脂（ＡＳＡ）、ＡＥＳ樹脂（ＡＥＳ）、ＭＡＳ樹脂（ＭＡＳ）、ポリエチレン樹脂（ＰＥ）、ＥＶＡ樹脂（ＥＶＡＣ）、ポリプロピレン樹脂（ＰＰ）、塩化ビニル樹脂（ＰＶＣ）、ポリスチレン樹脂（ＰＳ）、ＡＳ樹脂（ＳＡＮ）、ＡＢＳ樹脂（ＡＢＳ）、ポリエチレンテレフタレート樹脂（ＰＥＴ）、塩化ビニリデン樹脂（ＰＶＤＣ）、ポリアミド樹脂（ＰＡ）、ポリアセタール樹脂（ＰＯＭ）、ポリブチレンテレフタレート樹脂（ＰＢＴ）等を挙げることができる。
また、上記第２樹脂として、エラストマー系樹脂を用いることもできる。このエラストマー系樹脂としては、例えば、スチレン系エラストマー、オレフィン系エラストマー、ウレタン系エラストマー、シリコーン系エラストマー、ポリエステル系エラストマー、ポリアミド系エラストマー等が挙げられる。
これらの樹脂は、単独であるいは２つ以上を組み合わせて用いることができる。特に、上記複合樹脂パネルが家電製品の外装材として用いられる場合には、第２樹脂として、アクリル樹脂（特にＰＭＭＡ）、ポリスチレン樹脂（ＰＳ）、ＡＢＳ樹脂等を採用することが好ましい。
【００２０】
着色材料としては、有機顔料、無機顔料、染料のいずれでもよい。例えば、アゾ系染料（モノアゾ系染料、ジアゾ系染料、ビスアゾ系染料、トリスアゾ系染料及びスチルベン系染料等）、アントラキノン系染料、ペリレン系染料、ペリノン系染料、メチン系染料、フタロシアニン系染料、キナクリドン系染料、ジオキサジン系染料、チオインジゴ系染料、イソインドリノン系染料、キノフタロン系染料、染料レーキ、ニトロ顔料、ニトロソ顔料、アニリンブラック、蛍光顔料、酸化チタン、カーボンブラック、群青、紺青、べんがら、カドミウムレッド、モリブデンオレンジ、黄色酸化鉄、黄鉛、チタンイエロー、クロムグリーン、酸化クロム、コバルトブルー、マンガンバイオレット等が挙げられる。これらは、単独であるいは２つ以上を組み合わせて用いることができる。
これらの着色材料うち、酸化チタン、カーボンブラック及び群青等が好ましい。
【００２１】
また、上記第２樹脂には、光拡散剤を添加することができる。第２樹脂に光拡散剤を含有させることにより、光を拡散させる樹脂にすることができる。この光拡散剤としては、有機微粒子、炭酸カルシウム、二酸化チタン、硫酸バリウム及びガラス等が挙げられる。これらは単独であるいは２つ以上を組み合わせて用いることができる。
上記の光拡散剤のうち、均一な光拡散性能を有し、しかも全光透過率がよく、機械的強度に優れていることから、有機微粒子が好ましい。この有機粒子としては、架橋ポリメチルメタクリレート、架橋ポリスチレン、架橋メチルメタクリレート−スチレン共重合体及びシリコン等の有機重合体粉体が挙げられる。
更に、上記第２樹脂には、メタリック顔料を添加することができる。第２樹脂にメタリック顔料を含有させることにより、所謂メタリック調の樹脂にすることができる。このメタリック顔料としては、アルミニウム微粉末及びパールマイカ等が挙げられる。これらは単独であるいは２つ以上を組み合わせて用いることができる。
【００２２】
第１樹脂を着色透明とする場合、並びに第２樹脂を着色透明又は着色不透明の樹脂とする場合、樹脂と着色材料とを混合することにより得られる。この混合方法は、特に限定されず、公知の混合方法によることができる。
また、樹脂と着色材料との配合割合は、複合樹脂パネルの用途に応じて適宜選択することができる。
【００２３】
ここで、本実施形態１．の複合樹脂パネルとしては、例えば、基板に、この基板の平面に傾斜して互いに平行に複数の帯板が設けられている形態を挙げることができる。
上述の形態において、上記複数の帯板としては、例えば、（１）隣接する一対の帯板のそれぞれの端部が基板の平面方向に離間しており、その離間間隔（ｓ１）が０を超えて１０ｍｍ以下（好ましくは０．５〜５ｍｍ、特に１〜２ｍｍ）である形態（例えば、図３参照）、（２）隣接する一対の帯板のそれぞれの端部が基板の平面方向に重なっており、その重なり間隔（ｓ２）が０〜５ｍｍ（好ましくは０．０５〜２ｍｍ、特に０．１〜０．５ｍｍ）である形態（例えば、図５参照）等を挙げることができる。
【００２４】
また、本実施形態１．の複合樹脂パネルとしては、例えば、上記第１樹脂が着色透明樹脂であり、上記第２樹脂が不透明樹脂である形態を挙げることができる。これにより、着色透明の基板と不透明の帯板との重なりによって、基板を表面からみて帯板の視界側にある基板の量が増える方向（Ｐ）に向かって段々と濃くなるグラデーション模様（ｍ１）が表示される（例えば、図３及び図４参照）。なお、このグラデーション模様の調整は、例えば、上記第１及び第２樹脂の着色濃度、厚さ等のうちの１種又は２種以上の組み合わせを変更することにより実施することができる。
【００２５】
また、本実施形態１．の複合樹脂パネルとしては、例えば、上記基板の表面には不透明又は着色透明の加飾部材が積層されている形態を挙げることができる。この加飾部材の構造、形状、大きさ、材質等は特に問わない。この加飾部材は、例えば、不透明又は着色透明の第３樹脂からなることができる。この第３樹脂としては、例えば、上記第２樹脂の構成を適用することができる。
【００２６】
また、上記複合樹脂パネルは、例えば、上記第１樹脂及び第２樹脂を同時に押出成形して成形されていることができる。
【００２７】
２．複合樹脂パネルの製造方法
本実施形態２．に係る複合樹脂パネルの製造方法は、上記実施形態１．の複合樹脂パネルの製造方法であって、第１押出機から押し出される上記第１樹脂と第２押出機から押し出される上記第２樹脂とを金型内で合流させ、この金型から押し出される合流物をサイジングダイを通過させて上記複合樹脂パネルを得ることを特徴とする（例えば、図１０及び図１１参照）。
【００２８】
上記製造方法によると、異形形状の複合樹脂パネルを得ることができる。この異形形状の複合樹脂パネルによる利点としては、例えば、（１）帯板の方向を簡単に識別できるように外観に印、判別形状等を付けることができること、（２）他の複合樹脂パネルに連結できるように連結部を形成できること、（３）本体への装着用の溝、突起を付けることができること、（４）寸法（特に巾寸法）が安定すること、（５）後工程で巾をスリットする必要がないため材料ロスが少ないこと、（６）光または模様を拡散・屈折させ得るように表面に凹凸を付けることができること、（７）中空形状とすることもできること等を挙げることができる。
【実施例】
【００２９】
以下、図面を用いて実施例１及び２により本発明を具体的に説明する。なお、本実施例１では、本発明に係る「複合樹脂パネル」としてテレビジョン受信機の外枠（即ち、家電製品の外装材）として用いられる形態を例示する。また、本実施例２では、本発明に係る「複合樹脂パネル」としてフェンスとして用いられる形態を例示する。
【００３０】
＜実施例１＞
（１）テレビジョン受信機の構成
本実施例に係るテレビジョン受信機１は、図１に示すように、正面矩形状の表示部本体２と、この表示部本体２を支持する支持スタンド３と、を備えている。この表示部本体２は、液晶パネル４により構成される表示画面４ａと、この表示画面４ａの外周部を覆い液晶パネル４を支持する外枠５と、を有している。この外枠５は、図２に示すように、外枠本体７（本発明に係る「加飾部材」として例示する。）と、この外枠本体７の前面側に取り付けられる平板状の複合樹脂パネル１０と、を有している。この外枠本体７は、黒色系の着色材料として、カーボンブラックを加えてなる黒色不透明のアクリル樹脂からなっている。
【００３１】
上記複合樹脂パネル１０は、図３に示すように、平板状の基板１１と、この基板１１に基板１１の平面に傾斜して互いに平行に設けられる平板状の複数（図３中に５つ）の帯板１２と、を備えている。この基板１１は、メタクリル酸メチル系樹脂に、青色系の着色材料として、群青を加えてなる青色透明のアクリル樹脂（本発明に係る「第１樹脂」として例示する。）からなっている。
また、各帯板１２は、メタクリル酸メチル系樹脂に、白色系の着色材料として、酸化チタンを加えてなる白色不透明のアクリル樹脂（本発明に係る「第２樹脂」として例示する。）からなっている。また、各帯板１２の端縁は基板１１の両側の表面に露出している。
【００３２】
上記基板１１の厚さｔ１は約２ｍｍとされている。また、各帯板１２の基板１１の平面に対する傾斜角度θは約４０度とされている。また、各帯板１２の厚さｔ２は約５０μｍとされている。さらに、複数の帯板１２のうちの隣接する一対の帯板１２におけるそれぞれの近接する端部は基板の平面方向に離間しており、その離間間隔ｓ１は約１ｍｍとされている。
【００３３】
上記複合樹脂パネル１０は、青色透明のアクリル樹脂と白色不透明のアクリル樹脂とを同時に押出成形して成形されている。具体的には、図１０及び図１１に示すように、第１押出機５１から押し出される青色透明のアクリル樹脂５１ａと第２押出機５２から押し出される白色不透明のアクリル樹脂５２ａとを金型５３内で合流させ、この金型５３から押し出される合流物５３ａをサイジングダイ５４を通過させ、公知の引取装置５５（例えば、キャタピラ式引取機等）で引き取って、青色透明の基板１１及び白色不透明の各帯板１２を備える上記複合樹脂パネル１０が得られることとなる。上記サイジングダイの通過口の横幅は、金型の出口の横幅より小さな値とされている（図１１参照）。
【００３４】
（２）テレビジョン受信機の作用
次に、上記構成のテレビジョン受信機１の作用について説明する。
テレビジョン受信機１を利用する利用者が外枠５を正面からみると（図３中に破線矢印で示す。）、複合樹脂パネル１０において、傾斜状の複数の帯板１２により十分な視界制御機能が発揮されて利用者の視界から外枠本体７が隠された状態となる。そして、青色透明の基板１１と傾斜状の白色不透明の各帯板１２との重なりによって、基板１１を表面からみて各帯板１２毎において帯板１２の視界側にある基板１１の量が増える方向Ｐに向かって段々と濃くなるグラデーション模様ｍ１（図３及び図４参照）が表示される。
【００３５】
また、図４（ａ）に示すように、複合樹脂パネル１０を正面から真っ直ぐにみると、隣接する一対の帯板１２の間に形成される隙間ｓ１を介して黒色不透明の外枠本体７がみえ、表面模様としてグラデーション模様ｍ１に加えて黒色の縞模様ｍ２が表示される。一方、図４（ｂ）に示すように、複合樹脂パネル１０を正面やや上方から見下ろしてみると、各帯板１２の隙間がなくなり表面模様としてグラデーション模様ｍ１のみが表示される。
【００３６】
（３）実施例の効果
以上より、本実施例の複合樹脂パネル１０によると、白色不透明の帯板１２を、その端縁が青色透明の基板１１の表面に露出するように基板１１に設けたので、青色透明の基板１１と白色不透明の帯板１２との重なりによって、基板１１を表面からみて十分な視界制御機能を発揮させ得るとともに、基板１１と帯板１２との色目の違いにより奥行感のある立体的で明確なグラデーション模様ｍ１が表現され意匠性に優れる。特に、本実施例では、基板１１に、この基板１１の平面に傾斜して互いに平行に複数の帯板１２を設けたので、各帯板１２に対応して複数のグラデーション模様ｍ１が連続して表現され意匠性を更に高めることができる。
【００３７】
また、本実施例では、基板１１の表面に黒色不透明の外枠本体７が積層されているので、複合樹脂パネル１０をみる角度によっては、隣接する一対の帯板１２の間に形成される隙間を介して外枠本体７が見え、表面模様としてグラデーション模様ｍ１に加えて黒色の縞模様ｍ２が表示される。そのため、表面模様の意匠性を更に高めることができる。
【００３８】
また、本実施例では、青色透明のアクリル樹脂と白色不透明のアクリル樹脂とを同時に押出成形して複合樹脂パネル１０を得るようにしたので、更に生産性を高めることができる。
【００３９】
また、本実施例では、基板１１及び各帯板１２としてアクリル樹脂を採用したので、テレビジョン受信機１の外枠５としての耐候性に優れる複合樹脂パネル１０とすることができる。
【００４０】
また、実施例では、基板１１の厚さｔ１を約２ｍｍとし、各帯板１２の厚さｔ２を約５０μｍとしたので、樹脂使用量を抑えつつより明確なグラデーション模様を表現できる。
【００４１】
また、本実施例では、複数の帯板１２のうちの隣接する一対の帯板１２のそれぞれの近接する端部を基板１１の平面方向に離間させ、その離間間隔ｓ１を約１ｍｍとしたので、各帯板の端部の離間により遮光効果を抑えて可視効果をより高めることができる。
【００４２】
さらに、本実施例では、帯板１２の基板１１の平面に対する傾斜角度θを約４０度としたので、各帯板１２により更に十分な視界制御機能を発揮させることができる。
【００４３】
また、本実施例では、第１押出機５１から押し出される青色透明のアクリル樹脂５１ａと第２押出機５２から押し出される白色不透明のアクリル樹脂とを金型５３内で合流させ、この金型５３から押し出される合流物５３ａをサイジングダイ５４を通過させるようにしたので、異形形状の複合樹脂パネル１０を得ることができる。
【００４４】
＜実施例２＞
（１）フェンスの構成
本実施例に係るフェンス１’は、図５に示すように、複合樹脂パネル１０’を具備している。この複合樹脂パネル１０’は、平板状の基板１１’と、この基板１１’に基板１１’の平面に傾斜して互いに平行に設けられる平板状の複数（図中に６つ）の帯板１２’と、を備えている。この基板１１’は、無色透明の樹脂（本発明に係る「第１樹脂」として例示する。）からなっている。また、各帯板１２’は、不透明又は着色透明の樹脂（本発明に係る「第２樹脂」として例示する。）からなっている。また、各帯板１２’の端縁は基板１１’の両側の表面に露出している。
【００４５】
上記基板１１’の厚さｔ１は約２ｍｍとされている。また、各帯板１２’の基板１１’の平面に対する傾斜角度θは約４０度とされている。また、各帯板１２’の厚さｔ２は約５０μｍとされている。さらに、複数の帯板１２’のうちの隣接する一対の帯板１２’のそれぞれの近接する端部は基板１１’の平面方向に重なっており、その重なり間隔ｓ２は約０．１ｍｍとされている。なお、上記複合樹脂パネル１０’は、上記実施例１の複合樹脂パネル１０と略同様にして得られる。
【００４６】
（２）フェンスの作用
次に、上記構成のフェンス１’の作用について説明する。
図６（ａ）に示すように、フェンス１’即ち複合樹脂パネル１０’を正面から真っ直ぐにみると（図５中に破線矢印で示す。）、各帯板１２’の間に隙間がないため各帯板１２’により遮光効果と視界制御機能とが発揮されて利用者の視界からフェンス１’の向こう側が隠された状態となる。一方、図６（ｂ）に示すように、フェンス１’即ち複合樹脂パネル１０’を正面やや下方から見上げてみると、各帯板１２の間に形成される隙間を介して光が多く取り入れられると共にフェンス１’の向こう側が見える。
【００４７】
（３）実施例の効果
以上より、本実施例の複合樹脂パネル１０’によると、複数の帯板１２’のうちの隣接する一対の帯板１２’のそれぞれの近接する端部を基板１１の平面方向に重ならせ、その重なり間隔ｓ２を約０．１ｍｍとしたので、各帯板１２’の端部の重なりにより可視効果を抑えて遮光効果をより高めることができる。
【００４８】
なお、本発明においては、上記実施例１及び２に限られず、目的、用途に応じて本発明の範囲内で種々変更した実施例とすることができる。即ち、上記実施例１では、隣接する一対の帯板１２のそれぞれの近接する端部を基板１１の平面方向に所定の離間間隔ｓ１で離間させてなる複合樹脂パネル１０を例示したが、これに限定されず、例えば、図５に示すように、隣接する一対の帯板１２’のそれぞれの近接する端部を基板１１’の平面方向に所定の重なり間隔ｓ２（例えば、約０．１ｍｍ）で重ねてなる複合樹脂パネル１０’としてもよい。この場合、上記実施例１と略同様の作用・効果を奏することに加えて、図６（ａ）に示すように、複合樹脂パネル１０を正面から真っ直ぐにみると、各帯板１２の間に隙間がないため表面模様としてグラデーション模様ｍ１のみが表示される一方、図６（ｂ）に示すように、複合樹脂パネル１０を正面やや下方から見上げてみると、各帯板１２の間に形成される隙間を介して黒色不透明の外枠本体７がみえ、表面模様としてグラデーション模様ｍ１に加えて黒色の縞模様ｍ２が表示される。
【００４９】
また、上記実施例１及び２では、基板１１に複数の帯板１２を設けてなる複合樹脂パネル１０を例示したが、これに限定されず、例えば、図７に示すように、基板３１に１つの帯板３２を設けてなる複合樹脂パネル３０としてもよい。この場合であっても、着色透明の基板３１と着色不透明の帯板３２との重なりによって、基板３１を表面からみて十分な遮光機能又は視界制御機能を発揮させ得るとともに、奥行きのある立体的で明確なグラデーション模様ｍ１が表現され意匠性に優れる。
【００５０】
また、上記実施例１及び２では、基板の厚さ方向の略全長にわたって帯板を設ける形態を例示したが、これに限定されず、例えば、図８に示すように、基材４１の厚さ方向の一方の表面側４１ａに帯板４２を設け、基材４１の厚さ方向の他方の表面側４１ｂをパネルの側端部に設けられる光源（例えば、発光ダイオード等）からの光を導く導光部として用いる複合樹脂パネル４０としてもよい。これにより、複合樹脂パネルをイルミネーション部材として好適に使用することができる。この場合、導光部として用いる他方の表面側４１ｂの表面に遮光層４３を設けることが好ましい。イルミネーション効果をより高め得るためである。
【００５１】
さらに、上記実施例１では、基板１１の表面に黒色不透明の外枠本体７（加飾部材）を積層してなる複合樹脂パネル１０を例示したが、これに限定されず、基板１１の表面に加飾部材が積層されない複合樹脂パネル１０としてもよい。
【００５２】
なお、参考例の複合樹脂パネルとしては、例えば、図９に示すように、着色透明の第１樹脂からなる第１基板２１と、この第１基板２１に形成された傾斜面２１ａに当接する傾斜面２２ａを有し、不透明又は着色透明の第２樹脂からなる第２基板２２と、を備える複合樹脂パネル２０を挙げることができる。これにより、第１及び第２基板２１，２２により十分な遮光機能又は視界制御機能を発揮させることができる。また、着色透明の第１基板と不透明又は着色透明の第２基板との重なりによって、第１基板を平面からみると、第１基板２１の厚さが大きくなる方向Ｐに向かって段々と濃くなるグラデーション模様ｍ１が表示される。そのため、表面模様の意匠性を高めることができる。さらに、押出成形等により成形することができるので、従来のような煩雑な塗装作業を必要とせず生産性に優れる。なお、上記第１樹脂及び第２樹脂としては、例えば、上述の実施形態１．の複合樹脂パネルの第１樹脂及び第２樹脂の構成を適用することができる。
【００５３】
上記参考例では、上記第２樹脂は不透明樹脂であることが好ましい。また、第１及び第２基板２１，２２の縦断面が同じ形状の直角三角形であり、第１及び第２基板２１，２２の各傾斜面２１ａ，２２ａの各基板２１，２２の平面に対する傾斜角Ｓが１〜２０度（好ましくは１〜１０度、特に２〜４度）であることが好ましい。第１基材２１を表面からみると更に明確な濃淡のグラデーション模様が表示され、表面模様の意匠性を更に高めることができるためである。
【００５４】
＜実験例１〜３及び比較例１＞
ここで、図１３を用いて、実験例１〜３の複合樹脂パネル及び比較例１の樹脂パネルについて透過率とあおり角度との相関を示す測定結果について説明する。なお、本測定では、図１２に示すように、変角分光光度計（村上色彩研究所製）を用いてパネルのあおり角度を−６５°から６５°まで５°刻みで変えて各角度毎の透過率を測定した。
【００５５】
実験例１の複合樹脂パネルとして、アクリル製で無色透明の基板１１と、アクリル製で白色不透明の帯板１２と、を備えるパネルを採用した。この帯板１２は、角度θが３０°とされ、隙間ｓ１が０．３ｍｍとされ、厚さが０．６ｍｍとされている（図１２参照）。また、実験例２の複合樹脂パネルとして、アクリル製で無色透明の基板１１と、アクリル製で白色不透明の帯板１２と、を備えるパネルを採用した。この帯板１２は、角度θが４０°とされ、隙間ｓ１が０．１ｍｍとされ、厚さが０．０５ｍｍとされている（図１２参照）。また、実験例３の複合樹脂パネルとして、アクリル製で無色透明の基板１１と、アクリル製で白色不透明の帯板１２と、を備えるパネルを採用した。この帯板１２は、角度θが９０°とされ、隙間ｓ１が１ｍｍとされ、厚さが１ｍｍとされている（図１２参照）。さらに、比較例１の樹脂パネルとして、ＡＳＡ製で薄緑色透明の基板１１のみを備えるパネルを採用した。
【００５６】
実験例１の複合樹脂パネルでは、あおり角度０°で１０％を超える透過率であり、緯度３５°における冬至から夏至までの太陽の南中高度に相当するあおり角度、約３０〜８０°（測定値は６５°まで）において透過率が高くルーバー効果が極めて顕著に現れている。また、実験例２の複合樹脂パネルでは、あおり角度０°で約１％の透過率であり、緯度３５°における冬至から夏至までの太陽の南中高度に相当するあおり角度、約３０〜８０°（測定値は６５°まで）において透過率が高くルーバー効果が極めて顕著に現れている。さらに、実験例３の複合樹脂パネルでは、あおり角度０°で３０％を超える透過率であり、あおり角度−２０〜２０°において透過率が高くルーバー効果が極めて顕著に現れている。これに対して、比較例１の樹脂パネルでは、あおり角度０°で約３％の透過率（最高値）であり、全体として透過率に顕著な差はみられない。
【００５７】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。
【００５８】
本発明は上記で詳述した実施形態に限定されず、本発明の請求項に示した範囲で様々な変形または変更が可能である。
【産業上の利用可能性】
【００５９】
遮光機能又は視界制御機能を有する複合樹脂パネルとして広く利用される。
【符号の説明】
【００６０】
１；テレビジョン受信機、５；外枠、７；外枠本体、１０，１０’，３０，４０；複合樹脂パネル、１１，１１’，３１，４１；基板、１２，１２’，３２，４２；帯板、ｔ１；基板の厚さ、ｔ２；帯板の厚さ、θ；帯板の傾斜角度、ｓ１；離間間隔、ｓ２；重なり間隔。
【図１】
2011098504.tif 000003
【図２】
2011098504.tif 000004
【図３】
2011098504.tif 000005
【図４】
2011098504.tif 000006
【図５】
2011098504.tif 000007
【図６】
2011098504.tif 000008
【図７】
2011098504.tif 000009
【図８】
2011098504.tif 000010
【図９】
2011098504.tif 000011
【図１０】
2011098504.tif 000012
【図１１】
2011098504.tif 000013
【図１２】
2011098504.tif 000014
【図１３】
2011098504.tif 000015